Podtech/llm-jp-corpus-v4-ja_patent huggingface dataset:
(57)【要約】【目的】  木製合板の掲示板の裏面に木製の補強材をはめ込み固定したアルミ製取付け金具を取り付けることにより、金属製の支柱を使用することが出来、簡単に取り付け取り外しが可能になる。アルミ製取付け金具にはめ込み固定した木製の補強材及び金属製の支柱は繰り返し使用することが可能になる。【構成】  木製補強材２をはめ込み固定したアルミ製取付け金具１を木製合板の掲示板３の裏面にビス４により取り付け固定し、支持金具５及び支持金具固定ボルト・ナット６により金属製支柱７に取り付け固定する。【選択図】図３
0003139209.tif 000002
【実用新案登録請求の範囲】
【請求項１】
公職選挙ポスター掲示板や工事関係の木製合板掲示板をアルミ製取付け金具１に木製補強材２をはめ込み、ビス穴よりビスを打ち込み固定する。固定した木製補強材に木製掲示板３をビス４によって取付け、取付け金具と一体になった木製掲示板を支持金具５及び支持金具固定ボルト・ナット６によって金属製主柱７に固定するアルミ製取付け金具。
【考案の詳細な説明】
【考案の詳細な発明】
【考案が解決しょうとする課題】
【０００１】  公職選挙ポスター掲示板や工事関係の掲示板は、木製合板で製作されているため補強が必要であり、その裏面に木製の補強材が取り付けられている。掲示板を木製の支柱に取り付けるには、掲示板の表面からビスを打ち込み裏面の補強材を貫通させて木製の支柱に固定される。しかし、台風や強風になるなど掲示板が飛ばされる恐れがある場合は、その度に掲示板を取り外さなければならない。掲示板は多くのビスによって木製の支柱に固定されているので、そのビスを緩めて取り外すにはかなりの時間を費やすことになる。
【問題を解決するための手段】
【０００２】  上記の問題点を解決するために、掲示板の裏面に取り付ける木製の補強材をアルミ製の取付け金具にはめ込み固定し、そこへ掲示板をビスにより固定する。掲示板と一体になったアルミ製取付け金具を支持金具及び支持金具固定ボルト・ナットによって金属製の支柱に固定する。
【考案の効果】
【０００３】  木製の補強材をはめ込み固定したアルミ製取付け金具を掲示板と一体化することにより、木製合板の掲示板をさらに補強することが出来る。アルミ製取付け金具は支持金具及び支持金具固定ボルト・ナットによって金属製の支柱に極めて簡単に取り付けすることが出来、また、支持金具固定ボルト・ナットを緩めることによって、支柱から掲示板を迅速に取り外すことが出来る。このアルミ製取付け金具を使用することにより金属製の支柱を使用することが可能であり、金属製の支柱であれば繰り返し使用することが出来る。また、アルミ製取付け金具にはめ込み固定した木製の補強材は、屋内保管の条件によっては繰り返し使用することが出来る。
【図面の簡単な説明】
【図１】木製掲示板用アルミ製取付け金具に木製の補強材をはめ込み固定したときの側面図である。
【図２】木製掲示板用アルミ製取付け金具に木製の補強材をはめ込み固定する要領の斜視図である。
【図３】木製掲示板用アルミ製取付け金具に木製合板の掲示板を固定し支持金具及び支持金具固定ボルト・ナットにより金属製の支柱に取り付ける要領の斜視図である。
【符号の説明】
１    木製掲示板用アルミ製取付け金具
２    木製補強材
３    木製掲示板
４    木製掲示板取り付けビス
５    支持金具
６    支持金具固定ボルト・ナット
７    金属製支柱
【図１】
0003139209.tif 000003
【図２】
0003139209.tif 000004
【図３】
0003139209.tif 000005
【手続補正書】
【提出日】平成19年10月23日(2007.10.23)
【手続補正１】
【補正対象書類名】実用新案登録請求の範囲
【補正対象項目名】全文
【補正方法】変更
【補正の内容】
【実用新案登録請求の範囲】
【請求項１】
公職選挙ポスター掲示板や工事関係の木製合板掲示板をアルミ製取付け金具１に木製補強材２をはめ込み、ビス穴よりビスを打ち込み固定し、固定した木製補強材に木製掲示板３をビス４によって取付け、取付け金具と一体になった木製掲示板を支持金具５及び支持金具固定ボルト・ナット６によって金属製主柱７に固定するアルミ製取付け金具。
【手続補正２】
【補正対象書類名】明細書
【補正対象項目名】全文
【補正方法】変更
【補正の内容】
【考案の詳細な説明】
【考案の詳細な発明】
【考案が解決しょうとする課題】
【０００１】  公職選挙ポスター掲示板や工事関係の掲示板は、木製合板で製作されているため補強が必要であり、その裏面に木製の補強材が取り付けられ、掲示板を木製の支柱に取り付けるには、掲示板の表面からビスを打ち込み裏面の補強材を貫通させて木製の支柱に固定されるが、台風や強風になるなど掲示板が飛ばされる恐れがある場合は、その度に掲示板を取り外さなければならなく、掲示板は多くのビスによって木製の支柱に固定されているので、そのビスを緩めて取り外すにはかなりの時間を費やすことになる。
【問題を解決するための手段】
【０００２】  上記の問題点を解決するために、掲示板の裏面に取り付ける木製の補強材をアルミ製の取付け金具にはめ込み固定し、その補強材に掲示板をビスにより固定して、掲示板と一体になったアルミ製取付け金具を支持金具及び支持金具固定ボルト・ナットによって金属製の支柱に固定する。
【考案の効果】
【０００３】  木製の補強材をはめ込み固定したアルミ製取付け金具を掲示板と一体化することにより、掲示板は支持金具及び支持金具固定ボルト・ナットによって金属製の支柱に極めて簡単に取り付けすることができ、支持金具固定ボルト・ナットを緩めることによって、支柱から掲示板を迅速に取り外すことが出来る。
【図面の簡単な説明】
【図１】木製掲示板用アルミ製取付け金具に木製の補強材をはめ込み固定したときの側面図である。
【図２】木製掲示板用アルミ製取付け金具に木製の補強材をはめ込み固定する要領の斜視図である。
【図３】木製掲示板用アルミ製取付け金具に木製合板の掲示板を固定し支持金具及び支持金具固定ボルト・ナットにより金属製の支柱に取り付ける要領の斜視図である。
【符号の説明】
１    木製掲示板用アルミ製取付け金具
２    木製補強材
３    木製掲示板
４    木製掲示板取り付けビス
５    支持金具
６    支持金具固定ボルト・ナット
７    金属製支柱
(57)【要約】【課題】  本考案はマスコット人形本体をゴムひもで吊るし、ゴムの反発を利用して運動不足の猫に上下運動をさせて肥満防止をする。【解決手段】  本考案はマスコット人形本体を吊るした反発度の違うゴムひもの習性により上下にバウンドする人形本体に猫自身が飛びつきじゃれ遊ぶ事で、運動不足やストレスを解消し肥満防止につなげてゆく。【選択図】図３
0003139208.tif 000002
【実用新案登録請求の範囲】
【請求項１】
猫が遊び易い１０ｃｍ前後のまたたび粉を内蔵したマスコット人形に、反発力の違う二種類のゴムひもを付けてぶら下げられる状態になった玩具を猫がジャンプして届く高さの位置にぶら下げておき、猫の習性を利用して飛びかかってじゃれ遊ぶ上下運動をさせる事により、室内での運動不足を解消し肥満防止を考えた室内猫の肥満防止用玩具である。
【考案の詳細な説明】
【技術分野】
【０００１】  本考案は猫が遊び易い大きさのマスコット人形にゴムひもを付けぶら下げて利用する猫の玩具に関するものである。
【背景技術】
【０００２】  現代の道路事情は自動車の増加により人は当然ながらペットにとっても危険地域は増える一方である。また、公園や樹木の減少等の影響もあり散歩の習性のない猫は室内で飼育される傾向にある。
【考案の開示】
【考案が解決しようとする課題】
【０００３】  室内での猫の運動量には当然限界があり、また、制限される場所もあり自然と運動不足となり肥満気味の猫が増加しつつある。【０００４】  猫の玩具として販売されている物は飼主の手により遊ばせる事の出来る玩具、床面に転がして遊ぶ球形玩具等の動きのパターンに限りあるものがほとんどである。
【課題を解決するための手段】
【０００５】  本考案は猫の運動量として最も強度の高い上下運動を取り入れ、なおかつ飼主が不在であっても利用でき、猫の安全をも保障する肥満防止用の玩具である。
【考案の効果】
【０００６】  動物医学の発達・高品質なキャットフードの開発により猫の寿命が延びている反面、運動不足・室内ゆえのストレスによる病気に侵されてきているのも現状であり、上述の様に本考案の玩具を使用することにより肥満防止・充分な上下運動をすることでのストレス解消で、病気にかかる猫の数が減少するのではないかと考える。
【考案を実施するための最良の形態】
【０００７】  またたびの匂いのするマスコット人形の頭部分に反発度の違う２種類のゴムひもを付けて部屋の鴨居または金具に掛けて猫がジャンプして届く位置にぶら下げておく。【０００８】  猫は飛びかかり口にくわえたり手に挟み取るがゴムひもによりマスコット人形は離すと空中でバウンドする。バウンドしている人形に興味を示し、再度ジャンプし飛びかかる。【０００９】  上述の度差の繰り返しを行う事により上下の運動量が高まり、よって運動不足による肥満の防止につながる。
【図面の簡単な説明】
【００１０】
【図１】  本考案のマスコット人形の正面図である。
【図２】  本考案のマスコット人形の背面図である。
【図３】  マスコット人形を利用する時の状態を示した図である。
【符号の説明】
【００１１】  ▲１▼  マスコット人形本体（合成皮革）
▲２▼  本体他に色付けをして目と口を作る。
▲３▼  塩化ビニール製の髪を接着する。
▲４▼  麻ひもで腕を作る。
▲５▼  手は木のビーズを付ける。
▲６▼  麻ひもで足を作り木のビーズを付ける。
▲７▼  腕用のひもが抜けないよう本体内部にビーズ付けをする。
▲８▼  背面の本体内側にポケットを作りまたたび粉を入れる。
▲９▼  本体にアクリル綿を入れふくらみを作る。
▲１０▼  低反発ゴムひも
▲１１▼  平ゴムひも
▲１２▼  床面
▲１３▼  床面より３０ｃｍ〜５０ｃｍあげた位置
【図１】
0003139208.tif 000003
【図２】
0003139208.tif 000004
【図３】
0003139208.tif 000005
(57)【要約】【課題】  本考案は円テーブルを超小型軽量携行可能にして、主に野外レジャーなどにおいて狭い場所、不安定な場所にて飲食する際、食器、食物などを置くのに便利な使用に供する。【解決手段】  本考案は直径約３０ｃｍの天板３枚を重ね、約３０ｃｍの１本の鉄柱にて１ヶ所で支持し、その天板がそれぞれ３方向に開く仕掛けをすることにより全体の面積を３倍にする。支柱の下部の支えは円形の輪の中心にてネジ止めで固定することにより安定を保つ。【選択図】図２
0003139210.tif 000002
【実用新案登録請求の範囲】
【請求項１】
超小型軽量の素材を使用し、収納時には３枚重ねの天板が使用時には３枚の天板が等分に展開し、３倍の面積になるような仕掛けを施したポータブル円卓。
【考案の詳細な説明】
【技術分野】
【０００１】  本考案は、超小型軽量の素材を使用し、収納時には３枚重ねの天板が使用時には３倍の面積になるような仕掛けをしたポータブル円卓に関するものである。
【背景技術】
【０００２】  野外レジャー（特にハイキング、山登り、海水浴など）で野外食事をする際、食物、食器、飲物のカン、コップなどを置く場所、安定性に不便を感じていた。
【考案の開示】
【考案が解決しようとする課題】
【０００３】  野外レジャーでの飲食の際、食物、食器などを置く場所は地面であり、それらを直接置いた場合は安定性に欠け転倒など不便をきたしている。超小形軽量ポータブル円卓は持ち運びに便利なように折り畳みにし、使用時には面積が広くなるような仕掛けを施すことにより、物を置く面積が広く、安定性に優れ、前述の不便を解決しようとするものである。
【課題を解決しようとするための手段】
【０００４】  本考案は、その縁一ヶ所に直径約７ｍｍに穿孔した約３０ｃｍ前後の円盤を３枚重ね、その孔に約２５ｃｍの鉄棒を通して鉄棒の上端部分にて盤を螺子で挟み、そこを支点として３枚の盤が均等に開くようにすることにより円卓の面積が３倍となるようにした。鉄棒のを支える台は、約３２ｃｍの鉄の輪に約１ｃｍの鉄の板を十字形に梁を渡しその中心を穿孔し鉄棒を貫通させ、螺子で締め、固定する。
【考案の効果】
【０００５】  上述の様に、本考案の超小形軽量ポータブル円卓は円盤、鉄棒、支え台は螺子で止めているのでの３つに分解が可能である。そのため携行に便利であり、使用時には簡単に組み立てることができる。円盤の使用面積が拡大し、鉄の輪の支え台により安定し、食事時のテーブルとして使用することができる。
【考案を実施するための最良の形態】
【０００６】  ３枚の円盤を重ねて孔に鉄棒を通す。鉄棒の上部から１．５ｃｍのところに固定したボルトで円盤を受ける。円盤の孔から上に出ている鉄棒部分は蝶螺子にて３枚の円盤が開閉できる程度の力で締めておき３枚の円盤を等分に開いた後にしっかり締めてぐらつかないように固定する。鉄棒の下端から１．５ｃｍにボルトを固定し、支持金具中央の孔に挿入し、蝶螺子で固定する。
【実施例】  以下、添付図面に従って一実施例を説明する。【０００７】  図１．１〜３はベニヤ板、ステンレスなど適宜軽量な素材にて作成した天板である。図１・１は最上部で、孔の部分に円の金具を接着し補強する。図１・２は中段、図１．３は最下段である。図１．４は図１．３の裏で、孔の部分に円の金具を接着し補強する。図１．５は鉄製支持金具、図１．６は天板と支持金具を接合する鉄棒である。【０００８】  図２は組立後の使用時である。図２．１は３枚の天板を重ねて孔に鉄棒を通す。鉄棒の上部から１．５ｃｍのところに固定したボルトで天板を受ける。図２．２は３枚の天板を等分に開き、蝶螺子をしっかり締めてぐらつかないように固定する。展開するときは図にように色分けしておくと等分に合わせやすい。支持部分は支え台の鉄の輪の十字形の梁の中心の孔に通して支え台を受け、蝶螺子でしっかり締め付ける。【０００９】  図３は図２を分解したときの状態を示す。３枚の天板を支持台金具の内側に収納し、鉄棒は天板３の裏側に取りつけた金具に挟んでおく。【００１０】  図４は携行しやすいように袋に入れたものである。
【図面の簡単な説明】
【００１１】
【図１】本考案に使用する部品展開図である。
【図２】本考案を組み立て、使用するときの図である。
【図３】本考案を解体した時の図である。
【図４】携行するときの形態図である。
【符号の説明】
【００１２】  図１の１  最上段の天板
図１の２  中段の天板
図１の３  最下段の天板
図１の４  天板の裏
図１の５  下部の支持金具
図１の６  天板と支持金具を接合する鉄棒
【図１】
0003139210.tif 000003
【図２】
0003139210.tif 000004
【図３】
0003139210.tif 000005
【図４】
0003139210.tif 000006
(57)【要約】【解決しようとする課題】まつ毛美容装飾用ロッド部材で、接着部材が目に入ったり、皮膚がかぶれたりせず、かつ部分的な美容装飾を容易とさせる。【解決手段】本考案が提供するまつ毛美容装飾用ロッド部材は、皮膚との接着部分の接着基盤を柵状に形成することを特徴をするが、それにより、両面テープ等比較的簡易かつ液状でない適宜接着剤を用いることで、皮膚と接着するのと一時にまつ毛まで接着することができるようになる。また、ロッド部分を跨いで柵状接着基盤の間隙にまつ毛をまとめて接着することで、部分パーマネントを含めた部分的美容装飾が容易とすることができる。【選択図】図１
0003139206.tif 000002
【実用新案登録請求の範囲】
【請求項１】
軸状のロッド部と、当該ロッド部から延伸させた皮膚との接着部分の基盤を、柵状に形成したことを特徴とするまつ毛美容装飾用ロッド部材
【請求項２】
請求項１に記載された柵状の接着基盤により、部分的なパーマネントを含めた、まつ毛への美容装飾が容易となることを特徴とするまつ毛美容装飾用ロッド部材
【考案の詳細な説明】
【技術分野】
【０００１】本考案は、まつ毛を美容装飾する際に用いられるロッド部材に関する。
【背景技術】
【０００２】従来、女性の美容においてはまつ毛を大きく見せることで目鼻立ちをすっきり見せるためにまつ毛をカールし、上向きにすることが肝要である。その際には、以前よりビューラーなどを使ってまつ毛をカールする方法が一般的であった。しかし、ビューラーでまつ毛をカールした場合でも永続性はなく、多い人では一日に何度もビューラーを使ってカールする必要があった。そこで、近年では頭髪に施すパーマネントをまつ毛に施し、長期的、且つ確実にカールさせることが美容業界において広がりを見せてきている。【０００３】また、まつ毛を大きく見せるために、つけまつ毛を付けるという方法も多くの女性の間で広がりを見せており、つけまつ毛を付けることで目を大きく見せることが女性の美容でも一般化してきている。その中でも目じりの部分だけつけまつ毛を付け、より目を大きく見せることを強調して装飾することも女性の間で広がりを見せている。しかし、付けまつ毛をまぶたに付着するのはなかなか困難で、つけまつ毛を任意の長さにカットしたり、予めまつ毛を束ねてから、つけまつ毛をその隙間に付着するなど非常に高度な技術を要すことが問題とされていた。【０００４】特開２００２−０５８５２３には、まつ毛にパーマネントを施すことを容易にするロッド部材が示されている。
【考案が解決しようとする課題】
【０００５】しかし、上記に示した技術よると、（イ）通常、まつ毛パーマ用ロッド部材の接着基部を接着する際にはグルーと呼ばれる接着剤を塗布するのが通例であるが、接着剤をつけることにより皮膚がかぶれたり、また接着剤が目に入ったりする可能性を否定できないこと、（ロ）全体を接着したりパーマネントをかけるため、部分的にパーマネントすることを含めた美容装飾をすることが困難である。
【課題を解決するための手段】
【０００６】
【考案の効果】
【０００７】本考案は、その皮膚に接着するように湾曲形成された接着面を柵状に形成することにより、接着の手間を省くだけではなく、部分的な装飾を容易にすることに特徴があり、上記背景技術上の問題を解決することができる。すなわち、上記課題（イ）を解決するためには、本考案請求項１記載の接着基盤は、本考案の最たる特徴である柵状の形状の為、両面テープ等を用いることによりまぶた等の皮膚との接着だけでなく、一時にまつ毛まで接着することが可能となる。また、当該柵状形状は、上記課題（ロ）の部分パーマネントやまた、部分つけまつ毛の付着を容易にすることをも可能とした。
【考案を実施するための形態】
【０００８】以下、図面を参照しながら説示する。本考案では上記課題（イ）に対し、本考案請求項１で示す接着基盤柵状部分１１の皮膚１５との接着面１６に両面テープ等を付着することで、接着剤を塗布しなくても容易に接着できるだけでなく、柵状部分の隙間から一時にまつ毛１４まで接着することができる。（柵状部分の柵の数は、図面に書かれている本数にとらわれるものではないことは当然である。その他、本考案の柵状の形状の変更は、本考案の本質を変更しない範囲において可能である）また、上記課題（ロ）については、本考案の最たる特徴である柵状部分の間隙１２にまつ毛１４をまとめることで付けまつ毛１７の付着、部分パーマネントを含めた美容装飾を行うことが容易になる。このことで、従来から困難とされていたつけまつ毛の付着も、任意にまつ毛を束ね接着することで、容易となった。なお、本考案にいう「美容装飾」とは、美容業界において通常使われるパーマネント、染色、まつ毛への装飾等をいうものとする。
【実施例】
【００１０】本考案の実施例を手順を追って説明する。【００１１】まず、柵状の接着基盤の端から端まで両面テープ等適宜接着部材（以下、両面テープ等とする）を接着する。【００１２】次に、当該接着基盤とまぶたとを接着する。その際、任意のまつ毛をロッドを越して柵状の間隙に付着されている両面テープ等に接着する。【００１３】以上の状態から、まつ毛にまつ毛用パーマ液を塗布したり、また任意のつけまつ毛をまぶたと付着させることが容易となる。
【図面の簡単な説明】
【００１４】
【図１】本考案の正面図である。
【図２】本考案の実施状況の一形態を顔側面から見た図である。
【図３】本考案の実施状況の一形態の正面図である。
【図４】本考案を下から見た図である。
【符号の説明】
【００１５】１１  柵状の接着基盤
１２  柵状接着基盤の間隙
１３  まつ毛美容装飾用ロッド
１４  まつ毛
１５  皮膚
１６  皮膚との接着面
１７  付けまつ毛
【図１】
0003139206.tif 000003
【図２】
0003139206.tif 000004
【図３】
0003139206.tif 000005
【図４】
0003139206.tif 000006
(57)【要約】【課題】従来の乳房収納用カップ部を有する衣類は一定のパターンでバスト形成を具現化しようとしただけのものであったため、女性の体の周期によるバスト容量の変化に合わせた着用感、谷間形成はできなかった。【解決手段】乳房収納用カップ部を有する衣類の左右のカップ間に多段階で調節できるストラップを付けることにより、バストを中心に寄せる効果があり、細かなバストボリューム調節を可能にすることで谷間形成を可能にする構成とする。【選択図】図３
0003139214.tif 000002
【実用新案登録請求の範囲】
【請求項１】
女性下着のカップを有する衣類において、脇の切り替え位置から左右のカップ側に張り出した生地の裏側に調節できるストラップ（特許文献１参照）を縫い付けることにより乳房間の谷間を簡単に作り上げ胸を寄せ美しいバストを形成することを可能にした乳房収納用カップ部を有する衣類。
【請求項２】
ストラップの縫い付け位置はバストのサイズにより異なることを特徴とする請求項１に記載の乳房収納用カップ部を有する衣類。
【請求項３】
ワイヤーまたはボーンを具備した衣類がブラジャー、ボディスーツ、ブラスリップ、ブラジャー付コルセットから選ばれた衣類である請求項１〜２に記載の乳房収納用カップ部を有する衣類。
【考案の詳細な説明】
【技術分野】
【０００１】
本考案は、個々人の好みに合わせたバストアップ感、着用感、バストの谷間形成を実現するため、左右のバストの間を自由に調整できるストラップ（特許文献１参照）を縫い付けた乳房収納用カップ部を有する衣類である。
【特許文献１】特許公開２００７−１０７１６９公報
【背景技術】
【０００２】
女性のブラジャー、ボディスーツ、ブラスリップ、ブラジャー付コルセットに対する期待は、胸を安定させる、隠すといった実用的なもののほかに最も期待が高いのはバストをより美しく見せたいというものであるが、近年のブラジャー、ボディスーツ、ブラスリップ、ブラジャー付コルセットはカップ形状によってのみでバストの間に谷間を作りあげるものものが多く形や大きさそしてやわらかさが千差万別の女性のバスト形成には困難な面がある。
【０００３】
さらに女性の体は月経などの周期によりバストのボリュームが変化するが、その変化に対応できるブラジャー、ボディスーツ、ブラスリップ、ブラジャー付コルセットはなかった。
【考案の開示】
【考案が解決しようとする課題】
【０００４】
本考案の課題は、従来のブラジャー、ボディスーツ、ブラスリップ、ブラジャー付コルセットにおける上述した問題点を解決するため、従来品ではできなかった、バストにフィットする着用感及び谷間形成を可能にする製品を提供することである。
【課題を解決するための手段】
【０００５】
本考案は、上述した課題を解決するため、バストの左右のカップ間の距離をストラップで調節し、ストラップの長さを短く調節していくことによって左右のバストを中央に引き寄せ谷間を形成することを可能にした乳房収納用カップ部を有する衣類。
【考案の効果】
【０００６】
左右のカップ間の距離を多段階に調節できるため、個々人の装着感、衣服の形状に合わせたフィット感が得られる。
【０００７】
さらに女性の体の周期に合わせてバスト容量の変化に対応でき、そのつど最良のフィット感を実現できるという利点がある。
【考案を実施するための最良の形態】
【０００８】
本考案は胸寄せパターンを使用した乳房収納用カップ部を有する衣類の左右のカップ間に長さを調節できるストラップを付けることを特徴とする。
【０００９】
さらに、ストラップ（特許公開２００７−１０７１６９)を多段階に調節できる機能を持たせた構造である。
【実施例】
【００１０】
図１は本考案からなるブラジャーの図である。
【図面の簡単な説明】
【００１１】
【図１】考案品の正面図
【図２】考案品のバストを寄せるためのストラップ部分拡大図
【図３】考案品の装着実例図
【符号の説明】
【００１２】
１    ストラップ
２    左右カップ部
３    バスト側面被覆部
４    肩ヒモ部
５    ブラジャー背部
６    ストラップ取り付け部
【図１】
0003139214.tif 000003
【図２】
0003139214.tif 000004
【図３】
0003139214.tif 000005
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
女性下着のカップを有する衣類において、脇の切り替え位置から左右のカップ側に張り出した生地の裏側に長さを調節できる金具を具備したゴムを縫い付けることにより乳房間の谷間を簡単に作り上げ胸を寄せ美しいバストを形成することを可能にした乳房収納用カップ部を有する衣類。
【請求項２】
前記の長さを調節できる金具を具備したゴムの縫い付け位置はバストのサイズにより異なることを特徴とする請求項１に記載の乳房収納用カップ部を有する衣類。
【請求項３】
ワイヤーまたはボーンを具備することを特徴とする請求項１〜２に記載の乳房収納用カップ部を有する衣類。
(57)【要約】      （修正有）【課題】本考案はホチキス針に工夫をし、ホチキスを使用するたびにその残量を確認できるようにする。【解決手段】ホチキス針の上面において、線、または異なる色の境界線１を長手方向斜めに付加することにより、ホチキスを使用する度に、その残量を確認できるようにする。使用されたホチキス針における線、または境界線の位置が、ホチキス針残量を示す。【選択図】図１
0003139220.tif 000002
【実用新案登録請求の範囲】
【請求項１】
ホチキス針の上面において、線、または異なる色の境界線を長手方向斜めに付加することにより、ホチキスを使用する度に、その残量を確認できることを特徴とするホチキス針。
【考案の詳細な説明】
【技術分野】
【０００１】本考案は、ホチキス針の上面に斜めの線、または異なる色の境界線を付加した、ホチキス針に関するものである。
【背景技術】
【０００２】予期せぬホチキス針切れによる作業中断を極力低減する。
【考案の開示】
【考案が解決しようとする課題】
【０００３】ホチキス針の残量を常に確認できるようにする。一般にはホチキス本体において、ホチキス針の残量を確認することができない。それにより、ホチキス針切れによる作業中断や、残りが非常に少ない場合のホチキス針追加時のトラブルが発生する。そこで、ホチキス針に残量を確認できる工夫を施し、前述の解決を図るものである。
【課題を解決するための手段】
【０００４】ホチキス針の上面において、線、または異なる色の境界線を長手方向斜めに付加することにより、ホチキスを使用する度に、その残量を確認できるようにする。
ホチキスの量が十分なときには、使用したホチキスの針の線、または境界線が片側に寄っており、使用が進むに従いそれらが反対側に移動する。その位置がホチキスの残量を示しており、問題点を解決している。
【考案の効果】
【０００５】ホチキスの最終部のみにマーキングを付加した製品と比較し、ホチキス針の量が定量的に確認できるため、安心して使用できる。また、斜め形状であるため、ホチキス針をセットするときにその方向を間違えることが無い。
【考案の実施するための最良の形】
【０００６】上面に上記形状を付加したホチキス針をセットするのみにて使用可能である。
【実施例】
【０００７】以下、添付図面に従って一実施例を説明する。１はホチキス針の上面に施した斜め線、または境界線である。【０００８】図２は、本ホチキス針を使用したとき、その量が十分である場合のものである。使用したホチキス針の線、または境界線が片側にあり、その量が十分であることが分かる。【０００９】図３は、本ホチキス針を使用したとき、その量が少ない場合のものである。使用したホチキス針の線、または境界線が反対側にあり、その量が少ないことが分かる。
【図面の簡単な説明】
【００１０】
【図１】本考案のホチキス針の概略図である。
【図２】本ホチキス針を使用したとき、その量が十分である場合
【図３】本ホチキス針を使用したとき、その量が少ない場合
【符号の説明】
【００１１】  １  ホチキス針の上面に施した斜め線、または境界線
【図１】
0003139220.tif 000003
【図２】
0003139220.tif 000004
【図３】
0003139220.tif 000005
(57)【要約】      （修正有）【課題】一つの鍋で同時に複数の料理を調理する。【解決手段】一つの鍋に外鍋１と内鍋２を設けて構成し，外鍋と内鍋の間に蒸し板３を取付け，取り外し自在とした。【選択図】図１
0003139213.tif 000002
【実用新案登録請求の範囲】
【請求項１】
外鍋１の中央に円筒型の内鍋２をもうけ、外鍋１と内鍋２の間に蒸し板３を取付け、取り外し自在とした鍋。
【考案の詳細な説明】
【技術分野】
【０００１】一口用のガス、電気コンロで複数の料理を同時に調理できる為経済的効果が大である。
【背景技術】
【０００２】複数の料理を同時に作るには複数のコンロと鍋が必要。
【考案の開示】
【考案が解決しようとする課題】
【０００３】複数の料理を同時に一口のコンロで調理出来る。
【課題を解決するための手段】
【０００４】外鍋１の中央に内鍋２を設け外鍋と内鍋の間に蒸し板３を取付け、取り外し自在とした。
【考案の効果】
【０００５】外鍋１で煮こみ料理，内鍋２でミソ汁やスープ又はご飯、外鍋１と内鍋２の間で蒸し料理を作る。
【実施例】
【０００６】外鍋１の中央に内鍋２をもうけ設け外鍋１と内鍋２の間に蒸し板３を取付け，取り外し，自在とした外鍋１と内鍋２は単体として又は組み合わせしてでも使用できる。
【図面の簡単な説明】
【０００７】
【図１】鍋の外観図
【図２】外鍋１と内鍋２，蒸し板３の取付け断面図
【図３】蒸し板の平面図
【符号の説明】
【０００８】１．外鍋
２．内鍋
３．蒸し板
４．止め具
【図１】
0003139213.tif 000003
【図２】
0003139213.tif 000004
【図３】
0003139213.tif 000005
(57)【要約】      （修正有）【課題】清掃用具にモーターと乾電池を内臓した持ち手を付け振動させる事により簡単にひどい汚れを落とす事を目的とする。【解決手段】１はプラスチック等適宜素材にて一体化形成された電動式振動ヘッドの本体、２は研磨作用のあるナイロン素材によるスポンジで３はスポンジを心棒４に止めるピンボタンである  スイッチ５をＯＮにする事により７の乾電池からモーター８へ給電し  スポンジ体の心棒４へ差し込まれた本体１の先端が振動するためスポンジ体が、振動する。２ａと２ｂは１ａの着脱位置で用途に応じて取り替える事ができる。【選択図】図２
0003139218.tif 000002
【実用新案登録請求の範囲】
【請求項１】
束子、ブラシ、研磨作用のあるスポンジ、ワイヤーブラシ等の清掃用具にモーターと乾電池を内臓させた持ち手を付けその清掃用具部分を振動させる事を特徴とする電動式振動ヘッド
【考案の詳細な説明】
【技術分野】
【０００１】  本考案は清掃用具に持ち手を付けその部分にモーターと乾電池を内臓させ  ヘッド部分を振動させるものである
【背景技術】
【０００２】  １つの流れの中で清掃作業をする場合、１ヶ所に手間取ってはいられないので面倒な汚れを  ついそのままに残していた【０００３】黄ばみのひどいトイレ、水垢の付いた洗面台、蛇口、鍋の焦げ付き靴の泥汚れ、錆付き等の汚れを落とす場合、相当の労力と時間の労費を考えるとそのスポンジ、ブラシ等の清掃用具が振動する事でよりわずかな力と、短時間の作業で清潔と奇麗とを容易くできるものである
【課題を解決するための手段】
【０００４】本考案は清掃用具である、スポンジ、束子、ブラシ、ワイヤーブラシに持ち手を付け、その持ち手の部分にモーターと乾電池を内臓させ振動させる事によって問題を解決する
【考案の効果】
【０００５】上述の様に、本考案の電動式振動ヘッドは、スイッチＯＦＦで従来の磨く事は勿論、スイッチＯＮで振動させる事により本来の目的の手の力では落ちない頑固な汚れも簡短に落とす事ができる
【考案の実施するための最良の形態】
【０００６】サイズとしては靴を洗うブラシの大きさと形態でその持ち手の部分にモーターと乾電池が内臓され、持ち手の首の部分を着脱可態にしておく事により  スポンジ、束子、ブラシ、ワイヤーブラシ等、其れ々の場所と用途に合った物に取り替える事で幅広く有効活用できる
【実施例】
【０００７】  以下添付図面に従って一実施例を説明する、１はプラスチック等適宜素材にて一体化形成された電動式振動ヘッドの本体、２は研磨作用のあるナイロン素材によるスポンジで３はスポンジを心棒４に止めるピンボタンである  スイッチ５をＯＮにする事により７の乾電池からモーター８へ給電し  スポンジ体の心棒４へ差し込まれた  本体１の先端が振動するためスポンジ体が、振動する【０００８】２ａと２ｂは１ａの着脱位置で用途に応じて取り替える事ができる【０００９】本考案の実施例は上述の如き構成からなるものであるから本体１には汚れと場所に適した物を装着するため多種多用である
【図面の簡単な説明】
【００１０】
【図１】本考案の電動式振動ヘッドの一実施例を示す正面図である
【図２】本電動式振動ベッドの側面断面図である
【図３】本電動式の本体に装着するスポンジ以外の束子、ブラシ  ワイヤーブラシである
【符号の説明】
【００１１】１  電動式振動ヘッド本体
１ａ  着脱位置
２  研磨作用のあるスポンジ
２ａ  束子、ナイロンブラシ
２ｂ  ワイヤーブラシ
３  ピンボタン
４  心棒
５  スイッチ
６  底蓋
７  乾電池
８  モーター
９  ギヤー
【図１】
0003139218.tif 000003
【図２】
0003139218.tif 000004
【図３】
0003139218.tif 000005
(57)【要約】      （修正有）【課題】収納時やバケツを複数並べて使用する時に取っ手が邪魔となり、また、外観を損ねていることがない。【解決手段】バケツは取っ手２をバケツ本体１の内側に付けることで問題を解決し、効率的な収納や複数並べての使用を可能とするとともに、取っ手が目立たず外観的にも優れているバケツとなる。【選択図】図１
0003139217.tif 000002
【実用新案登録請求の範囲】
【請求項１】
取っ手（２）を本体（１）の内側に付けたバケツ
【請求項２】
本体の内側に取っ手の支持部材（４）を付けた請求項１のバケツ
【考案の詳細な説明】
【技術分野】
【０００１】本考案は、取っ手を本体の内側に付けたバケツに関するものである。
【背景技術】
【０００２】従来、バケツは、バケツの取っ手が、本体の外側に付いたものが知られている。
【考案の開示】
【考案が解決しようとする課題】
【０００３】背景技術で述べたものは、バケツの取っ手が本体の外側に付いているため、収納時やバケツを複数並べて使用する時に取っ手が邪魔となる、という問題点を有していた。また、昨今の外観重視の利用者にとっては、取っ手が外観を損ねているという問題点を有していた。【０００４】本考案は、従来の技術の有するこのような問題点に鑑みてなされたものであり、その目的とするところは、取っ手をバケツ本体の内側に付けることで、効率的な収納や複数並べての使用ができると伴に、取っ手が目立たず外観的にも優れている、バケツを提供しようとするものである。
【課題を解決するための手段】
【０００５】上記目的を達成するために、本考案におけるバケツは、本体とその内側に付けた取っ手により構成される。また、水平にした時、本体内側に収まる取っ手が、そのまま、水平よりも著しく鉛直方向に傾く場合には、バケツ使用時に取っ手を掴み易くする、バケツ本体の容量を減らさない等の目的で、それを防止するため、本体の内側に付けられた支持部材も構成要素となる。少なくとも、取っ手がバケツ本体の内側に付けられることを特徴とする。
【考案の効果】
【０００６】本考案は、上述のとおり構成されているので、次の効果がある。【０００７】取っ手をバケツ本体の内側に付けることで、効率的な収納や複数並べての使用ができると伴に、取っ手が目立たず外観的にも優れているバケツとなる。
【考案を実施するための最良の形態】
【０００８】本考案におけるバケツは、本体（１）と、軸（３）等により、その内側に付けた取っ手（２）により構成される。また、水平にした時、本体内側に収まる取っ手が、そのまま水平よりも著しく鉛直方向に傾く場合には、バケツ使用時に取っ手を掴み易くする、バケツ本体の容量を減らさない等の目的で、それを防止するため、本体の内側に付けられた支持部材（４）も構成要素となる。少なくとも、取っ手がバケツ本体の内側に付けられることを特徴とする。
【実施例】
【０００９】次に、本考案について図面を参照して詳細に説明する。図１は本考案であるバケツの実施例のひとつを示す斜視図、図２はその平面図である。【００１０】図１及び図２には、本体の縁及び取っ手が平面図において円形を示すバケツについての本考案の実施例を示してあるが、本考案は、本体（１）と、軸（３）等により、その内側に付けた取っ手（２）、また、水平にした時、本体内側に収まる取っ手が、そのまま水平よりも著しく鉛直方向に傾く場合には、それを防止するため、本体内側の縁付近等に付される支持部材（４）、により構成されるならば、特にそれらの細部の形状、例えば、本体の縁の形や取っ手の形、支持部材の形等、は限定されるものではない。【００１１】なお、図１及び図２には、水平にした時、本体内側に収まる取っ手が、そのまま、水平よりも著しく鉛直方向に傾くことを防止するため、本体内側の縁付近に付けた、支持部材も示している。支持部材は、バケツ使用時に取っ手を掴み易くする、バケツ本体の容量を減らさない等の目的で付けられるものだが、図１及び図２に示すように、平面図において取っ手の両軸を通る、本体の直径と直交する直径上に無い位置、かつ、それからなるべく離れた位置に付す方が、例えば、バケツから水を流す場合等には、障害とならないこととなり、好ましいとも言える。【００１２】このような、取っ手を本体の内側に付けたバケツは、効率的な収納や複数並べての使用ができると伴に、取っ手が目立たず外観的にも優れているバケツとなる。
【図面の簡単な説明】
【００１３】
【図１】    本考案のバケツを示した斜視図である。
【図２】    本考案のバケツを示した平面図である。
【符号の説明】
【００１４】      １    バケツ本体
２    取っ手
３    軸
４    支持部材
【図１】
0003139217.tif 000003
【図２】
0003139217.tif 000004
(57)【要約】【課題】通気性を確保する一方、廃棄する際にも粗大ゴミではなく、土壌に還元し得るような植木鉢の構成を提供すること。【解決手段】周囲の周壁及び底部を接着剤によって結合された木粉によって構成し、当該木粉間の隙間が通水孔及び通気孔を形成していることに基づき十分な通気性を確保すると共に、経年変化、更には毀損等を原因として廃棄する場合には、植木鉢１中の土又は自然の土壌中の有機肥料として植物の育成に資することが可能である植木鉢１。【選択図】図２
0003139292.tif 000002
【実用新案登録請求の範囲】
【請求項１】
周囲の周壁及び底部を接着剤によって結合された木粉によって構成し、当該木粉間の隙間が通水孔及び通気孔を形成していることに基づく植木鉢。
【請求項２】
水の受け皿を設け、当該受け皿の上に底部を配置していることを特徴とする請求項１記載の植木鉢。
【請求項３】
木粉間の隙間中に木炭粉を重点していることを特徴とする請求項１、２の何れかに記載の植木鉢。
【考案の詳細な説明】
【技術分野】
【０００１】
本考案は、木粉によって構成された植木鉢に関するものである。
【背景技術】
【０００２】
通常植木鉢においては、瀬戸物、金属等によって構成されており、近年ではプラスチックによって構成される場合も稀ではない。
【０００３】
しかしながら、前記各構成の素材による植木鉢の場合には、通気性が不十分である。
【０００４】
特許文献１においては、下端に通気機能を有するキャップを取り付けた植木鉢の構成を提供しており、特許文献２は、多数の水抜き穴及び多数個の通気穴を開口することによって、通水性及び通気性を確保する構成を提供している。
【０００５】
しかしながら、これらの構成は極めて複雑であると共に、植木鉢としての耐用年数を経過した場合、又は毀損が生じた場合等を原因として廃棄する場合、格別の用途が存在しないため、所謂粗大ゴミとして廃棄するために格別の負担が生ぜざるを得ない。
【０００６】
このように従来技術による植木鉢においては、通気性を確保する一方、合理的な廃棄処分を可能とする基本構成は、提唱されていない。
【特許文献１】特開２００４−１０５１６３号公報。
【特許文献２】実開平７−７３７３号公報。
【考案の開示】
【考案が解決しようとする課題】
【０００７】
本考案は、通気性を確保する一方、廃棄する際にも粗大ゴミではなく、土壌に還元し得るような植木鉢の構成を提供することを課題としている。
【課題を解決するための手段】
【０００８】
前記課題を解決するため、本考案の基本構成は、周囲の周壁及び底部を接着剤によって結合された木粉によって構成し、当該木粉間の隙間が通水孔及び通気孔を形成していることに基づく植木鉢からなる。
【考案の効果】
【０００９】
前記基本構成に基づく本考案においては、木粉の隙間を介して植木鉢中の土壌に十分な酸素を供給し、健全な状態にて植物を育成することを可能とする一方、経年変化又は毀損等を原因として廃棄する場合には、他の植木鉢の土又は自然の土壌中の有機肥料として植物の育成に資することも可能である。
【考案を実施するための最良の形態】
【００１０】
前記基本構成からも明らかなように、本考案の植木鉢１は接着剤によって結合した木粉を材料としているが、当該木粉は接着剤によって結合しても殆どの場合隙間が残存しており、当該隙間が通気孔としての作用を発揮することができる。
【００１１】
木粉の平均径は特に限定される訳ではないが、通常０．０５〜２ｍｍとする場合が多い。
【００１２】
本考案の植木鉢１を製造するためには、図１に示すように、周囲の壁部の外側及び底部の外側を囲む外枠３の壁部の内側及び底部の内側を囲み、かつ植木鉢１の内側空間を形成する内枠４との間に接着剤を混合した木粉を充填し、接着剤が溶融する程度の加熱を行いながら内枠４を外枠３の底部に向けて圧力を加える一方、外枠３の壁部の外側の周囲から内枠４に向けて圧力を加えながら前記接着剤が混合されている木粉を外側及び内側の双方から圧着することによって、上記基本構成による植木鉢１を作成することができる。
【００１３】
木粉としては、通常鋸粉、大鋸屑を典型例として採用することができ、接着剤としてはユリア樹脂接着剤が好適に採用され得る。
【００１４】
図２は、本考案の好適な実施形態を示しており、水の受け皿２の上に底部を配置していることを特徴としている。
【００１５】
前記実施形態の場合においては、受け皿２に水を収容した場合には、木粉間の隙間が通水孔としての機能を発揮し、水の毛細管現象によって植木鉢１中に順次補給されることになる。
【００１６】
このような水の順次補給によって、水不足によって育成植物を枯らしたり、又は水の与え過ぎにより根腐れを防止することができる。
尚、受け皿２としても、本考案の場合と同様に、接着剤によって結合した木粉によって構成することも可能であるが、従来技術の場合と同様に、プラスチック、金属、セラミック等によって構成することも可能である。
【００１７】
以下、実施例に即して説明する。
【実施例】
【００１８】
実施例は、図３に示すように、木粉中に木炭粉１１を配合していることを特徴としている。
【００１９】
このように、木炭粉１１を木粉中に配合した場合には、通気性の程度を調整する一方、木粉自体は水と接触しても変質しないため、給水を原因とする植木鉢１の腐食に基づく劣化を遅くする作用を発揮することができる。
【産業上の利用可能性】
【００２０】
本考案は、全ての種類の植木鉢を利用することにおいて、広範な植物の育成に資することができる。
【図面の簡単な説明】
【００２１】
【図１】本考案の植木鉢の製造状況を説明する断面図である。
【図２】本考案の実施形態を示す見取図である。
【図３】実施例の構成を示す見取図である。
【符号の説明】
【００２２】
１  植木鉢
１１  木炭粉
２  受け皿
３  外枠
４  内枠
【図１】
0003139292.tif 000003
【図２】
0003139292.tif 000004
【図３】
0003139292.tif 000005
(57)【要約】      （修正有）【課題】家庭に氾濫する家電製品の電源コードは、どれもほぼ黒色で、太さもほとんど同じで区別がつかない。そのため、家電製品の名前がすぐわかるように、手軽に付けられる名札クリップを提供する。【解決手段】名札のついたプラスチック製のクリップ１で、家電製品の電源コード２を挟み付ける。すると、電源コードに付いた名札４から、その家電製品の名前がすぐにわかることを特徴とする。【選択図】図１
0003139458.tif 000002
【実用新案登録請求の範囲】
【請求項１】
（イ）プラスチックなどの素材でできた２つの挟持体が、２枚貝のように折り曲がり部でつながり、前記素材の弾性により開閉ができる。
（ロ）前記２つの挟持体の中に電源コードを通す溝があり、前記溝は弾性体に覆われており、前記２つの挟持体で電源コードを挟みつける。
（ハ）前記２つの挟持体の外側両面に名札ホルダーを持つ。
以上の如く構成された、電源コード用名札クリップ。
【考案の詳細な説明】
【技術分野】
【０００１】  この考案は、家庭で氾濫する家電製品の電源コードを、すぐに識別できるようにするために付ける、名札クリップに関するものである。
【背景技術】
【０００２】  従来、家電製品の電源コードに付ける名札は、なかった。専門業者の電気工事の際には、コードを識別するために、小さな楕円形の名札をひもで取り付けるものがある。
【考案の開示】
【考案が解決しようとする課題】
【０００３】  家庭では家電製品の電源コードが氾濫し、しかも電源コードの殆どが同じ太さで色も黒色なので、とても見分けにくい。そこで、たくさんある電源コードをすぐに識別できるようにする。
【課題を解決するための手段】
【０００４】  名札をクリップの外側の両面に取り付け、クリップの内側に電源コードを通す溝を掘り、その溝にクッションとなる弾性体を取り付け、このクリップで家電製品の電源コードを挟み付けて、個々の製品名を瞬時に識別できるようにする。
【考案の効果】
【０００５】  電源コードにコンパクトに取り付けられた名札を見ると、すぐにその家電製品の名前が識別でき、今までのように一回ずつコンセントに電源コードを差し込んで、判別する必要がなくてすむ。
【考案を実施するための最良の形態】
【０００６】  クリップ本体１は、プラスチック製の楕円形の２つの挟持体５・６から成り、図２のように折り曲がり部９でつながっており、この折り曲がり部のプラスチックの弾性で開閉ができ、つめ７により開閉の状態を決める。２つの挟持体５・６には、電源コード２を挟み込むための溝を掘っておく。この溝には小さなおうとつ１１を付けておき、電源コード２を挟み込んだ時、しっかり保持できるようにしておく。さらに、電源コードを滑ることなくしっかり保持するためと痛めないためのクッションとして、この溝にフェルトやゴムなどの弾性体を貼り付けておく。【０００７】  そして、この溝１０に電源コード２を挟み込んで、つめ７をつめ受け口８に留めて、２つの挟持体５・６を外れないようにする。名札４は２枚用意し、家電製品名を書いて２つの挟持体５・６に付いている透明の名札ホルダー３に差し込む。これで手軽に家電製品名を電源コードに表示することができる。
【図面の簡単な説明】
【０００８】
【図１】  本考案実施時の斜視図である。
【図２】  本考案のクリップを開いた時の斜視図である。
【図３】  本考案のクリップをＡ−Ｂで切った時の縦断面図である。
【符号の説明】
【０００９】  １  クリップ本体
２  電源コード
３  透明の名札ホルダー
４  名札
５  上部挟持体
６  下部挟持体
７  つめ
８  つめ受け口
９  折り曲がり部
１０  弾性体を付けた溝
１１  小さなおうとつ
【図１】
0003139458.tif 000003
【図２】
0003139458.tif 000004
【図３】
0003139458.tif 000005
(57)【要約】      （修正有）【課題】肌寒い時期や夏の日差し及び外的危険から抱っこ、またはおんぶされた乳幼児の下半身を保温保護する。【解決手段】抱っこ紐、またはおんぶ紐におくるみを留めて固定し、乳幼児の下半身をカバーすることにより保温保護することができる。【選択図】図２
0003139455.tif 000002
【実用新案登録請求の範囲】
【請求項１】
被覆対象の身体を覆い得る大きさを有する所定形状の被覆地と、該被覆地の背面に右側端部、下側端部、左側端部に固定されている下側半分全面に被覆対象の両足が挿脱可能な袋を有し、該被覆地の左右上辺部に該被覆地を絞り込むための絞込部材を備え、前記絞込部材の辺部近傍に装着対象に着脱自在に取り付けるための伸縮部材と留め具を有し、該被覆地の左右上辺部に被覆地の一部を折込みを有したことを特徴とする抱っこ及びおんぶ用おくるみ。
【考案の詳細な説明】
【技術分野】
【０００１】  本考案は乳幼児の下半身を保温保護する抱っこ及びおんぶ用おくるみに関するものである。
【背景技術】
【０００２】  従来の抱っこまたはおんぶ用おくるみは乳幼児の体全体を覆う形状になっている。下半身のおくるみはタオルの代用しかない。
【特許文献】特許公開２００２−１１９３９２
【特許文献】特許公開２００６−６１３８２
【考案の開示】
【考案が解決しようとする課題】
【０００３】  従来のおくるみは、雨天または寒冷期に防寒防雨のみに適し、雨天、寒冷期以外の時期は使用できなかった。従って、おくるみの形状を変え、乳幼児の両足の挿脱可能な袋を有することにより、乳幼児の下半身を保温保護でき、通年利用が可能となり、前述の欠点を解決しようとするものである。
【課題を解決するための手段】
【０００４】  考案は、抱っこまたはおんぶされた乳幼児の下半身をしっかりと覆い、雨天、寒冷期以外の長い期間使用でき、乳幼児を外気および日差しから皮膚を守り保温保護され、歩きタバコなどの外的危険から保護できる大きさを有する台形状の被覆地からなるおくるみで、該被覆地の背面に右側端部、下側端部、左側端部に固定されている下側半分全面に設けられた乳幼児の両足が挿脱可能な保温性のある袋を有し、該被覆地の左右上辺部に該被覆地を絞り込むための伸縮部材がおくるみと乳幼児を密着させ、前記伸縮部材の辺部近傍に抱っこ紐またはおんぶ紐の腰ベルトに着脱自在に取り付けるための留め具を有し、該被覆地の左右上辺部に被覆地の折込み縫いがおくるみの形状維持を補助することにより問題を解決している。
【考案の効果】
【０００５】  上記の様に、本考案の抱っこおよびおんぶ用おくるみは乳幼児の下半身のみを覆うため暑すぎず寒すぎず一年を通して快適に使用でき、更に足を入れる袋が乳幼児の足の保温性を高め、外的危険から保護し、留め具は抱っこ紐またはおんぶ紐の左右の腰ベルト２箇所のみに留めることで容易に着脱ができ、おくるみの生地はコットン、ネル、フリースなどを使用して作成するため、一年の長い期間使用することができ経済的である。
【考案を実施するための最良の形態】
【０００６】  この考案の実態形態を図１から図２に示す。１は台形状に形成された抱っこ及びおんぶ用おくるみ（以下、おくるみという）。１を台形状に形成することにより乳幼児のウエスト部分から下半身全体までをしっかり覆うことができる。また、着衣者が歩行、着席などの活動中も乳幼児の両足をしっかり覆うことができる大きさがある。下半身をおくるみで覆い保温保護するため、母親の両手を空ける機会が増え、乳幼児および母親の安全性が高まる。１は肌寒い時期はネル、フリースなどを素材とすると温かく保温性に富み、夏の日差しから守る時期はコットンなどを使用すると良い。【０００７】  ２は左右上辺部に該被覆地を絞り込むための伸縮部材であり、おくるみと乳幼児を密着させる伸縮性を持ち、使用時のだぶつきがなくす。【０００８】  ３は２の辺部近傍に取り付けられた留め具であり、抱っこ紐またはおんぶ紐の左右の腰ベルトに固定する。３は２と連結しているため着脱時に伸縮性をもち、乳幼児を抱っこまたはおんぶした状態で容易に着脱対象に留めることができる。３はクリップ型が片手で着脱できるため容易である。【０００９】  ４は左右上辺部の折りたたみ縫い部分であり、折りたたむことによりおくるみが捲れる事を防ぎ、保温性を高めおくるみの形状が崩れることを防ぐ。【００１０】  ５は１の背面に右側端部、下側端部、左側端部に固定されている下側半分全面に乳幼児の両足が挿脱可能な袋であり、乳幼児を抱っこまたはおんぶした後、３でおくるみを固定し、乳幼児の両足を挿入する。母親が片手で容易に乳幼児の足を入れられるように約１０ｃｍの軽く弧を描いた状態の袋になっている。５は足の間の仕切りがないため、乳幼児は足の動きを阻害されず自由に動かすことができる。
【実施例】
【００１１】  以下、添付図面に従って一実施例を説明する。図１は紐およびおんぶ用おくるみ本体の正面。乳幼児を抱っこまたはおんぶした着衣者が３の留め具で抱っこ紐またはおんぶ紐の左右の腰ベルトにおくるみを固定する。１の背面に有する５の袋に乳幼児の両足を挿入し使用する。
【図面の簡単な説明】
【００１２】
【図１】  この考案の形態を示す正面図
【図２】  この考案の形態を示す背面図
【符号の説明】
【００１３】  １生地
２伸縮部材
３留め具
４折りたたみ縫い部分
５袋
【図１】
0003139455.tif 000003
【図２】
0003139455.tif 000004